(57)【要約】【課題】こんろ本体の形状を大とすることなく各こんろバーナの間隔を大として比較的大型の調理器を使用しても調理器同士の干渉を防止することができ、極めて使い勝手のよいビルトイン式の３口こんろを提供する。【解決手段】システムキッチンのカウンタートップに取り付けられるこんろ本体６と、こんろ本体６の上部を覆う天板７と、第１こんろバーナ３、第２こんろバーナ４、及び第３こんろバーナ５の計３個のこんろバーナとを備えるビルトイン式の３口こんろにおいて、第１こんろバーナ３を、天板７の中央を通って前後方向に延びる第１縦線Ａの一方側半部の範囲に配設する。第２こんろバーナ４を、第１縦線Ａの他方側半部の範囲に配設する。第３こんろバーナ５を、第１縦線Ａと、第２こんろバーナ４の中心を通って前後方向に延びる第２縦線Ｂとの間であって第２こんろバーナ４の後方位置に配設する。【選択図】図２
2006329510.tif 000002
【特許請求の範囲】
【請求項１】
システムキッチンのカウンタートップに形成されたこんろ取付用開口に取り付けられて上面が開放されたこんろ本体と、該こんろ本体の上部を覆う天板と、該天板上に露出して夫々所定位置に配設された第１こんろバーナ、第２こんろバーナ、及び第３こんろバーナの計３個のこんろバーナとを備えるビルトイン式の３口こんろにおいて、
第１こんろバーナは、天板の中央を通って前後方向に延びる第１縦線の一方側半部の範囲に配設され、第２こんろバーナは、前記第１縦線の他方側半部の範囲に配設され、第３こんろバーナは、前記第１縦線と第２こんろバーナの中心を通って前後方向に延びる第２縦線との間であって第２こんろバーナの後方位置に配設されていることを特徴とするビルトイン式の３口こんろ。
【請求項２】
前記第１こんろバーナは、前記第２こんろバーナの中心を通って左右方向に延びる第１横線と前記第３こんろバーナの中心を通って左右方向に延びる第２横線との間に配設されていることを特徴とする請求項１記載のビルトイン式の３口こんろ。
【請求項３】
前記こんろ本体は、矩形状の底壁と、底壁の前後に対向して起立する一対の第１側壁と、底壁の左右に対向して起立する一対の第２側壁とによって形成された筐体を備え、前記第１こんろバーナは、前記筐体の一方の第２側壁に隣接して設けられ、前記第２こんろバーナは、前記筐体の前方の第１側壁と他方の第２側壁とが交わる角部に隣接して設けられ、前記第３こんろバーナは、前記筐体の後方の第１側壁に隣接して設けられていることを特徴とする請求項１又は２記載のビルトイン式の３口こんろ。
【請求項４】
前記第１こんろバーナの中心と前記第２こんろバーナの中心との間隔距離は、前記第１こんろバーナの中心と前記第３こんろバーナの中心との間隔距離より大とされ、前記第１こんろバーナの中心と前記第３こんろバーナの中心との間隔距離は、前記第２こんろバーナの中心と前記第３こんろバーナの中心との間隔距離より大とされていることを特徴とする請求項１乃至３の何れか１項記載のビルトイン式の３口こんろ。
【請求項５】
前記天板の中央を通って前後方向に延びる第１縦線の一方側半部の範囲においては、前記第１こんろバーナの後方位置に、こんろ本体内部へ通気自在とする通気口が設けられていることを特徴とする請求項１乃至４の何れか１項記載のビルトイン式の３口こんろ。
【発明の詳細な説明】
【技術分野】
【０００１】
本発明は、３個のこんろバーナを備えてシステムキッチンのカウンタトップに取り付けられるビルトイン式の３口こんろに関する。
【背景技術】
【０００２】
従来、上面が開放されたこんろ本体と、該こんろ本体の上面を覆う天板とを備え、こんろ本体がシステムキッチンのカウンタートップに形成されたこんろ取付用開口に取り付けられるビルトイン式のこんろが知られている。そして、こんろ本体には第１こんろバーナ、第２こんろバーナ、及び第３こんろバーナの計３個のこんろバーナが収容され、各バーナが天板上に露出して３口こんろを構成している（特許文献１参照）。
【０００３】
この種の３口こんろは、第１こんろバーナが天板の中央を通って前後方向に延びる縦線を介して一方側半部の範囲に設けられ、第２こんろバーナが他方側半部の範囲に設けられている。そして、第３こんろバーナは、第１こんろバーナと第２こんろバーナとの中央且つ後方に配設されている。
【特許文献１】特開２００４−１７７０９９号公報（図１２）
【発明の開示】
【発明が解決しようとする課題】
【０００４】
上記従来のものでは、調理器として比較的大型の鍋（例えば、一般家庭で使用される最も大径の調理器として直径４０cmの中華鍋等が挙げられる）を第１こんろバーナの五徳上に載置した場合には、第３こんろバーナの五徳上に載置された他の鍋（例えば、一般家庭で最も多く使用される直径２０〜２３cmの鍋等が挙げられる）が干渉して、円滑な調理が行えず、使い勝手が悪い。
【０００５】
そこで、鍋同士の干渉を避けるために、各こんろバーナに設けられた五徳上の鍋を互いに離反する方向にずらして調理を行うことが考えられるが、鍋が五徳上で安定する所定の載置位置（五徳の中心と鍋の中心とが一致する位置）からずれていることによって、鍋が五徳から脱落、ひいては傾倒するおそれがあり、安定した鍋の載置状態が維持できない。
【０００６】
また、各こんろバーナの間隔を大とするために、天板及びこんろ本体を大型化することが考えられるが、こんろ本体をシステムキッチンのカウンタートップに形成されたこんろ取付用開口の開口寸法より大きくすることはできない。
【０００７】
更にまた、各こんろバーナに燃焼用空気を供給する通気口を天板の後端縁に沿って設ける場合には、通気口によって天板の奥行き方向の寸法が小となるのに伴い天板の面積が小となり、各こんろバーナの間隔を十分に拡げることができない。
【０００８】
本発明は、以上の点に鑑み、こんろ本体の形状を大とすることなく各こんろバーナの間隔を大として比較的大型の調理器を使用しても調理器同士の干渉を防止することができ、極めて使い勝手のよいビルトイン式の３口こんろを提供することを目的としている。
【課題を解決するための手段】
【０００９】
かかる目的を達成するために、本発明は、システムキッチンのカウンタートップに形成されたこんろ取付用開口に取り付けられて上面が開放されたこんろ本体と、該こんろ本体の上部を覆う天板と、該天板上に露出して夫々所定位置に配設された第１こんろバーナ、第２こんろバーナ、及び第３こんろバーナとを備えるビルトイン式の３口こんろにおいて、第１こんろバーナは、天板の中央を通って前後方向に延びる第１縦線の一方側半部の範囲に配設され、第２こんろバーナは、前記第１縦線の他方側半部の範囲に配設され、第３こんろバーナは、前記第１縦線と第２こんろバーナの中心を通って前後方向に延びる第２縦線との間であって第２こんろバーナの後方位置に配設されていることを特徴とする。
【００１０】
本発明によれば、第３こんろバーナが、前記第１縦線と第２こんろバーナの中心を通って前後方向に延びる第２縦線との間に配設されていることにより、第１こんろバーナと第３こんろバーナとの間に十分な間隔距離を確保することができ、比較的大きな調理器（鍋等）を第１こんろバーナ上に載置して調理を行っているときにも、第３こんろバーナ上に他の調理器を載置して調理を行うことができる。しかも、第３こんろバーナは、第２こんろバーナの後方位置にあっても、第２こんろバーナの真後ろではないので、第２こんろバーナ上の調理器により調理中であっても、第２こんろバーナ上の調理器が邪魔になることなく第３こんろバーナ上の調理器による調理が行えるので使い勝手がよい。
【００１１】
また、本発明において、前記第１こんろバーナは、前記第２こんろバーナの中心を通って左右方向に延びる第１横線と前記第３こんろバーナの中心を通って左右方向に延びる第２横線との間に配設されていることを特徴とする。
【００１２】
これによれば、第１こんろバーナの前後に十分なスペースを確保することができ、第１こんろバーナに比較的大きな調理器を載置しても、天板の手前側からの調理器の張り出しを小とすることができる。
【００１３】
また、本発明において、前記こんろ本体は、矩形状の底壁と、底壁の前後に対向して起立する一対の第１側壁と、底壁の左右に対向して起立する一対の第２側壁とによって形成された筐体を備え、前記第１こんろバーナは、前記筐体の一方の第２側壁に隣接して設けられ、前記第２こんろバーナは、前記筐体の前方の第１側壁と他方の第２側壁とが交わる角部に隣接して設けられ、前記第３こんろバーナは、前記筐体の後方の第１側壁に隣接して設けられていることを特徴とする。
【００１４】
一般に、システムキッチンのカウンタートップに形成されたこんろ取付用開口は、その大きさが予め所定の寸法に形成されており、こんろ取付用開口に取り付けるこんろ本体の筐体もこんろ取付用開口の形状に対応するように形成されている。このとき、本発明によれば、前記第１こんろバーナを前記筐体の一方の第２側壁に隣接させ、前記第２こんろバーナを前記筐体の前方の第１側壁と他方の第２側壁とが交わる角部に隣接させ、前記第３こんろバーナを前記筐体の後方の第１側壁に隣接させておくことにより、限られたこんろ取付用開口の形状寸法内にあって、各こんろバーナ同士の間隔を十分に大として配置することが可能となる。これによって、筐体の大きさを拡大させることなく、天板の大きさに対して各こんろバーナの周囲に十分なスペースを確保することができる。
【００１５】
また、本発明において、前記第１こんろバーナの中心と前記第２こんろバーナの中心との間隔距離は、前記第１こんろバーナの中心と前記第３こんろバーナの中心との間隔距離より大とされ、前記第１こんろバーナの中心と前記第３こんろバーナの中心との間隔距離は、前記第２こんろバーナの中心と前記第３こんろバーナの中心との間隔距離より大とされていることを特徴とする。
【００１６】
これによって、第１こんろバーナと第２こんろバーナとの間に十分な間隔を確保することができるだけでなく、第１こんろバーナと第３こんろバーナとの間においても十分な間隔を確保することができ、例えば、第１こんろバーナ上に比較的大きな調理器（鍋等）を載置しても、第３こんろバーナ上に他の調理器を載置して調理を行うことができる。
【００１７】
また、前記天板の中央を通って前後方向に延びる第１縦線の一方側半部の範囲においては、前記第１こんろバーナの後方位置に、こんろ本体内部へ通気自在とする通気口が設けられていることを特徴とする。
【００１８】
本発明によれば、前記通気口を設けることにより、各こんろバーナへの燃焼空気を円滑に取り入れることができる。しかも、第３こんろバーナが第１こんろバーナから十分に離れた位置であり且つ第３こんろバーナが第２こんろバーナの後方に配置されており、第１こんろバーナの後方位置には十分なスペースが確保されるので、前後方向の寸法を拡大することなく第１こんろバーナの後方位置に前記通気口を設けることができる。
【発明を実施するための最良の形態】
【００１９】
本発明の一実施形態を図面に基づいて説明する。図１は本実施形態の３口こんろの平面図、図２は各こんろの位置関係を示す説明図、図３は通気口を示す説明的断面図である。
【００２０】
本実施形態の３口こんろ１は、図１及び図２に示すように、システムキッチンのカウンタートップ２に設けられるビルトイン式こんろである。３口こんろ１は、３個のこんろバーナ（第１こんろバーナ３、第２こんろバーナ４、第３こんろバーナ５）を備えて上部が開口されたこんろ本体６（図２参照）と、こんろ本体６の開放された上部を覆う天板７とを備えている。該天板７には、各こんろバーナ３，４，５に対応するバーナ開口８，９，１０が形成され、各バーナ開口８，９，１０の周縁には環状の枠部材１１と五徳１２とが載置されている。また、天板７は、結晶化ガラス等のガラス製板材によって形成されている。なお、第１こんろバーナ３と第２こんろバーナ４とは比較的大径の調理器（鍋等）による調理が可能となる大口のこんろバーナであり、第３こんろバーナ５は小口のこんろバーナである。
【００２１】
また、図２に示すように、天板７の左側後縁部（第１こんろバーナ３の後方）には切欠部１３が形成されており、該切欠部１３によってこんろ本体６の一部上方を開放している。更に、切欠部１３上にはカバー部材１４が取り付けられており、図３に示すように、該カバー部材１４の一部に形成された通気口１５を介して、各こんろバーナ３，４，５への燃焼空気の取り入れが可能となっている。そして、天板７の手前側には各こんろバーナ３，４，５の燃焼運転を操作する操作摘み１６，１７，１８が露出されている。
【００２２】
カウンタートップ２には、図３に一部を示すように、こんろ取付用開口１９が形成され、こんろ本体６の筐体２０が挿入支持されている。即ち、筐体２０は、図２に示すように、平面視略矩形状に形成され、底板２１（図３参照）と、底板２１の前後に対向する一対の第１側壁２２，２３と、底板２１の左右に対向して第１側壁２２，２３に湾曲する角部を介して連設された一対の第２側壁２４，２５とを備えている。また、図２及び図３に示すように、各側壁２２，２３，２４，２５の上縁全周にはフランジ２６が形成されており、図３に一部を示すように、フランジ２６がこんろ取付用開口１９の周縁部に掛止される。
【００２３】
図２に示すように、第１こんろバーナ３は、天板７の中央を通って前後方向に延びる第１縦線Ａの一方側（図２において左側）半部に配置され、第２こんろバーナ４は、第１縦線Ａの他方側（図２において右側）半部に配設されている。第３こんろバーナ５は、第１縦線Ａと第２こんろバーナ４の中心を通って前後方向に延びる第２縦線Ｂとの間であって第２こんろバーナ４の後方位置に配設されている。
【００２４】
更に、第１こんろバーナ３は、その中心が、第２こんろバーナ４の中心を通って左右方向に延びる第１横線Ｃと、第３こんろバーナ５の中心を通って左右方向に延びる第２横線Ｄとの間に位置するように配設されている。
【００２５】
そして更に、第１こんろバーナ３は、筐体２０の左方の第２側壁２４に隣接して設けられ、第２こんろバーナ４は、前方の第１側壁２２と右方の第２側壁２５とが交わる角部２７に隣接して設けられ、第３こんろバーナ５は、後方の第１側壁２３に隣接して設けられている。
【００２６】
また、第１こんろバーナ３、第２こんろバーナ４、及び第３こんろバーナ５の間隔寸法については、第１こんろバーナ３の中心と第２こんろバーナ４の中心との間隔距離をＬ１とし、第１こんろバーナ３の中心と第３こんろバーナ５の中心との間隔距離をＬ２とし、第２こんろバーナ４の中心と第３こんろバーナ５の中心との間隔距離をＬ３としたとき、Ｌ１＞Ｌ２＞Ｌ３とされている。ここで、筐体２０の幅寸法と奥行き寸法とは、前記こんろ取付用開口１９の開口寸法によって制限される。具体的には、一般のカウンタートップ２に形成されたこんろ取付用開口１９の幅寸法が７２５mm、奥行き寸法が４３５mmとされているとき、筐体２０の幅寸法は７１９mm、奥行き寸法は４２９mmに制限されたとしても、前述した各こんろバーナ３，４，５の配置を採用することにより、Ｌ１は４２０mm以上、Ｌ２は４００mm以上、Ｌ３は２３０mm以上確保することができる。これによって、例えば、図１に示すように、第１こんろバーナ３上に、一般家庭で使用される最も大径の調理器として直径４０cmの中華鍋Ｗを載置しても、第３こんろバーナ５上に、一般家庭で最も多く使用される直径２０〜２３cmの鍋Ｘを載置することができ、更に、直径２０〜２３cmの鍋であれば、第２こんろバーナ４上と第３こんろバーナ５上に余裕を持って載置することができる。このように、こんろ本体６を大型化することなく各こんろバーナ３，４，５の間隔を大として比較的大型の調理器（中華鍋Ｗ等）を使用しても他の調理器（一般径の鍋Ｘ）との干渉を防止することができ、五徳１２上に安定して載置できるだけでなく極めて使い勝手がよい。
【００２７】
また、カウンタートップ２の奥行き寸法（手前側の端縁から通常後側の壁面までの距離）は、一般には６００mmと６５０mmとの２種となっており、天板７をこの範囲に収めても、前述した各こんろバーナ３，４，５の配置を採用することにより、各バーナ開口８，９，１０から天板７の周縁までの距離を十分に確保することができる。これによって、天板７がガラス製であっても天板７の強度が低下することはなく、各バーナ開口８，９，１０を形成することができる。
【００２８】
また、第３こんろバーナ５が第１こんろバーナ３から十分に離れた位置に配置され、且つ第３こんろバーナ５は第２こんろバーナ４の後方に配置されているので、第１こんろバーナ３の後方位置には十分なスペースが確保される。これにより、天板７の前後方向の寸法を拡大することなく前記通気口１５を第１縦線Ａの左側半部の第１こんろバーナ３の後方位置に設けることができ、各こんろバーナ３，４，５への燃焼空気を円滑に取り入れることができる。なお、図３に示すように、通気口１５を備えるカバー部材１４は、通気口１５が使用者に視認された場合に美観を損ねることを防止するために鍔状の延出部２８を備えるが、該延出部２８の高さ寸法は五徳１２の高さ寸法以下となるように形成されているため、図１に示すように、第１こんろバーナ３上の調理器（中華鍋Ｗ）がカバー部材１４上に位置しても、調理器（中華鍋Ｗ）と延出部２８とは干渉しないものとされている。
【図面の簡単な説明】
【００２９】
【図１】本発明の実施形態の３口こんろの説明的平面図。
【図２】各こんろの位置関係を示す説明図。
【図３】通気口を示す説明的断面図。
【符号の説明】
【００３０】
１…３口こんろ、２…カウンタートップ、３…第１こんろバーナ、４…第２こんろバーナ、５…第３こんろバーナ、６…こんろ本体、７…天板、１５…通気口、１９…こんろ取付用開口、２０…筐体、２１…底壁、２２，２３…第１側壁、２４，２５…第２側壁、Ａ…第１縦線、Ｂ…第２縦線、Ｃ…第１横線、Ｄ…第２横線。
【図１】
2006329510.tif 000003
【図２】
2006329510.tif 000004
【図３】
2006329510.tif 000005